(57)【要約】【課題】足場板への幅木本体の取付け及び取外しがワンタッチで簡単に行える足場用幅木を提供する。【解決手段】幅木本体５の外面側に複数のワンタッチロック金具７が設けられ、各ワンタッチロック金具７は、幅木本体５に固定される固定枠８と、固定枠８内に下端部が枢着されて固定枠８内から手前側へ傾転可能で、上端部に把手９ａを形成した操作レバー９と、操作レバー９の下方で固定枠８に上下スライド可能に支持され、幅木本体５より下方へ突出する下端部に幅木本体５の下面と対向する掴み片１０ｏを形成したツカミ金具１０と、操作レバー９を常時固定枠８内に納まった起立状態に保持すると共に操作レバー９を手前側へ傾転させる時に連動してツカミ金具１０を下方へスライドさせるように操作レバー９とツカミ金具１０との間に介装したバネ１１とからなる。【選択図】図２
2010270440.tif 000002
【特許請求の範囲】
【請求項１】
足場板の側縁部上に起立姿勢で取り付けられる幅木であって、幅木本体の外面側に複数のワンタッチロック金具が設けられ、各ワンタッチロック金具は、幅木本体に固定される固定枠と、固定枠内に下端部が枢着されて固定枠内から手前側へ傾転可能で、上端部に把手を形成した操作レバーと、操作レバーの下方で固定枠に上下スライド可能に支持され、幅木本体より下方へ突出する下端部に幅木本体の下面と対向する掴み片を形成したツカミ金具と、操作レバーを常時は固定枠内に起立してツカミ金具をロック状態に保持すると共に操作レバーを手前側へ傾転させる時にツカミ金具を下方へスライドさせてロック解除するように、操作レバーとツカミ金具との間に介装したバネとからなり、操作レバーの傾転により下方へスライドしたツカミ金具の掴み片と幅木本体の下面との間に足場板の側縁部を嵌め込んで操作レバーを固定枠内に押し戻すことにより、ツカミ金具をロックして幅木本体を起立姿勢に固定する足場板用幅木。
【請求項２】
幅木本体の内側壁には、足場板内方から作業工具等の棒状体の先端部を差し込んで操作レバーの把手を裏側から突いてロック解除操作するための棒状体差込孔が設けられている請求項１に記載の足場板用幅木。
【発明の詳細な説明】
【技術分野】
【０００１】
本発明は、建築現場等で仮設される足場板の側縁部上に起立姿勢に取り付けられる足場用幅木関する。
【背景技術】
【０００２】
建築現場等における足場板上での高所作業では、作業者の手にしたボルト、ナット、金具類等の種々の施工用物品や工具類、足元に置いた各種資材や用具等を誤って落下させ、事故につながるという危険性が常に付きまとう。そこで、足場板の側縁部上に幅木を取り付けるようにしている。
【０００３】
従来の足場用幅木として、例えば、下記特許文献１に記載されたものがある。これは、幅木本体の外面側に、複数のスライドロック金具が、夫々ロックボルトの回動操作によって幅木本体に対し上下にスライドするように取り付けられ、各スライドロック金具は、幅木本体よりも下方に突出する下部に幅木本体の下面と対向するロック片を備え、このロック片と幅木本体の下面との間に足場板の側縁部を嵌め込んだ状態で、スライドロック金具が上方へスライドするようにロックボルトを締め付けることによって、幅木本体が垂直姿勢に固定されるようになっている。
【先行技術文献】
【特許文献】
【０００４】
【特許文献１】特開２００２−４２３０８号公報
【発明の概要】
【発明が解決しようとする課題】
【０００５】
上記のような従来の足場用幅木では、足場板への幅木本体の取付け及び取外し操作が面倒で手間がかかるという問題があった。
【０００６】
本発明は、上記の事情に鑑み、足場板への幅木本体の取付け及び取外しがワンタッチで簡単に行える足場用幅木を提供することを目的とする。
【課題を解決するための手段】
【０００７】
上記課題を解決するための手段を、後述する実施形態の参照符号を付して説明すると、請求項１に係る発明の足場板幅木は、足場板１の側縁部上に起立姿勢で取り付けられる幅木であって、幅木本体５の外面側に複数のワンタッチロック金具７が設けられ、各ワンタッチロック金具７は、幅木本体５に固定される固定枠８と、固定枠８内に下端部が枢着されて固定枠８内から手前側へ傾転可能で、上端部に把手９ａを形成した操作レバー９と、操作レバー９の下方で固定枠８に上下スライド可能に支持され、幅木本体５より下方へ突出する下端部に幅木本体５の下面と対向する掴み片１０ｏを形成したツカミ金具１０と、操作レバー９を常時は固定枠８内に起立してツカミ金具１０をロックすると共に操作レバー９を手前側へ傾転させる時にツカミ金具１０を下方へスライドさせてロック解除するように、操作レバー９とツカミ金具１０との間に介装したバネ１１とからなり、操作レバー９の傾転により下方へスライドしたツカミ金具１０の掴み片１０ｏと幅木本体５の下面との間に足場板１の側縁部を嵌め込んで操作レバー９を固定枠８内に押し戻すことにより、ツカミ金具１０をロックして幅木本体５を起立姿勢に固定することを特徴とする。
【０００８】
請求項２は、請求項１に記載の足場板用幅木において、幅木本体５の内側壁には、足場板１の内方側から作業工具等の棒状体の先端部を差し込んで操作レバー９の把手９ａを裏側から突いてロック解除操作する棒状体差込孔１７が設けられていることを特徴としている。
【発明の効果】
【０００９】
上記解決手段による発明の効果を、後述する実施形態の参照符号を付して説明すると、請求項１に係る発明によれば、幅木４を足場板１の側縁部１ａ上に取り付ける時は、幅木本体５の外面側に複数個ある各ワンタッチロック金具７の操作レバー９を、固定枠８内に収まった起立状態から板バネ１１の付勢力に抗して手前側に傾転させて、ツカミ金具１０の掴み片１０ｏと幅木本体５の下壁部５ｃとの間隔を最大限広げた状態で足場板１の側縁部１ａに嵌め込んだ後、操作レバー９を上向きに傾転させて固定枠８内に押し込むばよく、そして幅木４を足場板１から取り外す時は、操作レバー９を手前側に傾転させるだけでよいから、足場板１への取付け及び足場板１からの取外しをワンタッチで簡単に行うことができる。
【００１０】
請求項２に係る発明によれば、ツカミ金具１０がロック状態にある時に操作レバー９の把手９ａが固定枠８内に入り込んでいて、ロック解除時に把手９ａを引き出し難い場合には、足場板１の内方側から作業工具等の棒状体１８の先端部を棒状体差込孔１７に差し込んで、操作レバー９の把手９ａを突くことにより、ツカミ金具１０のロック解除を容易に行うことができる。
【図面の簡単な説明】
【００１１】
【図１】本発明に係る足場板用幅木の取付状態を示す外観斜視図である。
【図２】(a) は幅木本体に設けられたワンタッチロック金具のロック状態を示す外観斜視図、(b) はそのロック解除状態を示す外観斜視図である。
【図３】(a) は幅木本体に設けられたワンタッチロック金具のロック状態を示す正面図、(b) は(a) のＸーＸ線に沿って断面したワンタッチロック金具の側面図、(c) はロック状態から操作レバーをロック解除操作した時のワンタッチロック金具の側面図、(d) は(c) のロック解除状態から操作レバーをロック操作した時のワンタッチロック金具の側面図である。
【図４】(a) はロック解除状態にあるワンタッチロック金具の掴み片と幅木本体下面との間に足場板を嵌め込もうとしている状態の側面図、(b) は足場板を嵌め込んだ状態の側面図、(c) は足場板を嵌め込んで操作レバーをロック操作した状態の側面図である。
【図５】(a) は幅木本体の挿入孔に作業工具先端部を差し込もうとしている状態の側面図、(b) は作業工具先端部を挿入孔に差し込んで操作レバーをロック解除した状態の側面図である。
【発明を実施するための形態】
【００１２】
以下に本発明の好適な一実施形態を図面にもとづいて説明すると、図１に示すように、足場板１は、対向する足場用建枠２，２の横材３，３間に掛け渡され、この足場板１の側縁部上に本発明に係る足場用幅木４が起立姿勢に取り付けられている。足場板１の両端部には夫々フックＦがその左右端側に突設されている。足場用幅木４は、図１及び図２に示すように、内側壁５ａと、上壁部５ｂと、下壁部５ｃと、上下壁部５ｂ，５ｃから夫々内向きに突出するフランジ５ｄとにより断面略Ｃ字状に形成されると共に、両端部に断面コ字状の端枠部５ｅ（図１参照）が取り付けられてなる幅木本体５を有する。
【００１３】
図１に示すように、幅木本体５の外面側には両端部側にワンタッチロック金具７が設けられている。各ワンタッチロック金具７は、図２〜図４から分かるように、幅木本体５に固定されるコ字枠状の固定枠８と、この固定枠８内に下端部が枢着されて固定枠８内から手前側へ傾転可能で、上端部に把手９ｏを形成した操作レバー９と、この操作レバー９の下方で固定枠８に上下スライド可能に支持され、幅木本体５より下方へ突出する下端部に幅木本体５の下壁部５ｃ下面と対向する掴み片１０ｏを形成したツカミ金具１０と、操作レバー９を常時は固定枠８内に起立させた状態でツカミ金具１０をロックすると共に、操作レバー９を手前側へ傾転させる時に連動してツカミ金具１０を下方へスライドさせてロック解除するように、操作レバー９とツカミ金具１０との間に介装された内向き湾曲状の板バネ１１と、から構成される。
【００１４】
固定枠８は、背面板８ａと左右側板８ｂ，８ｂとよってコ字枠状に形成されたもので、図２に示すように、幅木本体５内に挿入し、背面板８ａを幅木本体５の内側壁５ａに当接させてビス止めすることによって、幅木本体５内に固定される。操作レバー９は、左右側枠９ａ，９ａの上端部をつなぐ上枠９ｂの上部に把手９ｏを形成したもので、両側枠９ａ，９ａの下端部をピン（ボルト）１２で固定枠８の両側板８ｂ，８ｂに枢着することによって、ピン１２を中心に固定枠８の上端部側が固定枠８内での起立姿勢から手前側へ所要角度傾転可能となる。
【００１５】
また、ツカミ金具１０は、図２〜図４に示すように、スライド板１０ａの上端部両サイドから耳片１０ｂ，１０ｂを内向き直角に突設すると共に、スライド板１０ａの下端から内向き直角に掴み片１０ｏを突設したもので、スライド板１０ａを、固定枠８のガイド片８ｃ，８ｃと幅木本体５の下部フランジ５ｄに対して上下スライド可能に支持させると共に、固定枠８の左右側板８ｂ，８ｂに設けた長孔１３，１３からツカミ金具１０の耳片１０ｂ，１０ｂに挿通したボルト１４によってスライド板１０ａを一定範囲で上下スライドさせるようにしている。
【００１６】
板バネ１１の上端部は、操作レバー９の左右側枠９ａ，９ａの上端部間に横架されたボルト１５に止着され、その下端部は、固定枠８の左右側板８ｂ，８ｂに設けた長孔１３，１３に挿通されて上下スライドする前記ボルト１４に止着されている。尚、この実施形態では、板バネを使用しているが、線状バネを使用してもよい。
【００１７】
図３の(a) ，(b) は湾曲状の板バネ１１によって操作レバー９が固定枠８内に納まった起立状態でツカミ金具１０がロックされている状態を示す。このロック状態から、図３の(c) に示すように操作レバー９の把手９ｏを掴んで固定枠８内から外に出るように手前側へ傾転させると、板バネ１１により前記ボルト１４が下向きに押されてツカミ金具１０のスライド板１０ａが下方へスライドし、ツカミ金具１０の掴み片掴み片１０ｏと幅木本体５の下面下壁部５ｃとの間隔が開いてロック解除され、足場板１の側縁部１ａに嵌め込み可能な状態となる。
【００１８】
図３の(c) に示す状態から操作レバー９を上向きに傾転させて固定枠内に押し込むと、湾曲状板バネ１１により前記ボルト１４が上向きに引っ張られて、ツカミ金具１０のスライド板１０ａが上向きにスライドし、ツカミ金具１０の掴み片１０ｏと幅木本体５の下面下壁部５ｃとの間隔が狭められ、図３の(d) に示すような状態となる。この時、操作レバー９は、湾曲状板バネ１１により、固定枠８内に納まった起立状態に保持されて、ツカミ金具１０をロックする。
【００１９】
図４の(a) 及び(b) は、操作レバー９を手前側へ傾転させて、ツカミ金具１０の掴み片１０ｏと幅木本体５の下壁部５ｃとの間隔を最大限広げた状態で足場板１の側縁部１ａに嵌め込んだ状態を示し、同図の(c) は足場板１の側縁部１ａに嵌め込んだ状態から、操作レバー９を上向きに傾転させて固定枠内に押し込むことによって、ツカミ金具１０の掴み片１０ｏが足場板１の側縁部１ａ下面側を掴んで、その上面側を幅木本体５の下壁部５ｃに圧接し、それにより幅木本体５を足場板１の側縁部１ａ上面に起立状態に保持固定した状態を示す。
【００２０】
従って、幅木４を足場板１の側縁部１ａ上に取り付ける時は、幅木本体５の外面側に複数個ある各ワンタッチロック金具７の操作レバー９を、固定枠８内に収まった起立状態から手前側に傾転させて、ロック解除したツカミ金具１０の掴み片１０ｏと幅木本体５の下壁部５ｃとの間隔を最大限広げた状態で足場板１の側縁部１ａに嵌め込んだ後、操作レバー９を上向きに傾転させて固定枠８内に押し込むばよく、また幅木４を足場板１から取り外す時は、操作レバー９を手前側に傾転させるだけでよいから、足場板１への取付け及び足場板１からの取外しをワンタッチで簡単に行うことができる。
【００２１】
図５の(a) ，(b) に示すように、幅木本体５の内側壁５ａには、足場板１の内方側から作業工具等の棒状体１８の先端部を差し込んで操作レバー９の把手９ａを裏側から突いてロック解除操作するための棒状体差込孔１７が設けられている。尚、棒状体差込孔１７は、幅木本体５の内側壁５ａと固定枠８の背面板８ａを貫通して操作レバー９の把手９ａを臨むように設けられる。(a) は棒状体１８の細くなった先端部１８ｏを幅木本体５の棒状体差込孔１７に挿入しようとしている状態を示し、そして(b) は、足場板１の内方側から棒状体１８の細くなった先端部１８ｏを棒状体差込孔１７に差し込んで、操作レバー９の把手９ａを裏側から突くことにより、操作レバー９が前方へ傾転してロック解除された状態を示している。
【００２２】
このように幅木本体５の内側壁５ａに棒状体差込孔１７を設けることにより、ツカミ金具１０がロック状態にある時に操作レバー９の把手９ａが固定枠８内に入り込んでいて、ロック解除時に把手９ａを引き出し難い場合には、足場板１の内方側から作業工具等の棒状体１８の先端部を棒状体差込孔１７に差し込んで、操作レバー９の把手９ａを突くことにより、ツカミ金具１０のロック解除を容易に行うことができる。
【符号の説明】
【００２３】
１            足場板
２            足場建枠
３            足場建枠の横材
４            足場板用幅木
５            幅木本体
７            ワンタッチロック金具
８            固定枠
９            操作レバー
１０          ツカミ金具
１０ｏ        掴み片
１１          バネ
１７          棒状体差込孔
１８          作業工具等の棒状体
【図１】
2010270440.tif 000003
【図２】
2010270440.tif 000004
【図３】
2010270440.tif 000005
【図４】
2010270440.tif 000006
【図５】
2010270440.tif 000007